(57)【要約】【課題】携帯型端末装置毎に異なる設定情報を、都度設定し直す必要のないプロジェクターを提供する。【解決手段】プロジェクター１００は、画像情報に基づいた画像を投写するプロジェクターであって、プロジェクター１００の設定情報を記憶する設定情報記憶部２４と、携帯型端末装置（携帯情報端末２００）が接続される接続部（コネクター部５０）と、接続部に接続された携帯型端末装置の識別情報を受信する識別情報受信部（通信部２２）と、設定情報記憶部２４に記憶されている設定情報のうち、識別情報受信部が受信した識別情報に対応する設定情報に基づいて、プロジェクター１００の設定を行う設定部（制御部２０）と、を備える。【選択図】図２
2014170032.tif 000002
【特許請求の範囲】
【請求項１】
画像情報に基づいた画像を投写するプロジェクターであって、
前記プロジェクターの設定情報を記憶する設定情報記憶部と、
携帯型端末装置が接続される接続部と、
前記接続部に接続された前記携帯型端末装置の識別情報を受信する識別情報受信部と、
前記設定情報記憶部に記憶されている前記設定情報のうち、前記識別情報受信部が受信した識別情報に対応する設定情報に基づいて、前記プロジェクターの設定を行う設定部と、
を備えることを特徴とするプロジェクター。
【請求項２】
請求項１に記載のプロジェクターであって、
前記設定情報の入力を受け付ける設定情報受付部と、
前記設定情報受付部によって受け付けられた前記設定情報を、前記識別情報に対応付けて前記設定情報記憶部に記憶させる設定情報登録部と、
をさらに備えることを特徴とするプロジェクター。
【請求項３】
請求項１または２に記載のプロジェクターであって、
前記設定情報は、前記画像の画質を調整するための情報を含んでいることを特徴とするプロジェクター。
【請求項４】
請求項１乃至３のいずれか一項に記載のプロジェクターであって、
音声を出力する音声出力部をさらに備え、
前記設定情報は、前記音声出力部から出力される前記音声の音量を調整するための情報を含んでいることを特徴とするプロジェクター。
【請求項５】
請求項１乃至３のいずれか一項に記載のプロジェクターであって、
音声を出力する音声出力部をさらに備え、
前記設定情報は、前記音声出力部から出力される前記音声の音質を調整するための情報を含んでいることを特徴とするプロジェクター。
【請求項６】
携帯型端末装置と、プロジェクターと、を備えたプロジェクターシステムであって、
前記携帯型端末装置は、
当該携帯型端末装置の識別情報を記憶する識別情報記憶部と、
前記識別情報を送信する識別情報送信部と、
を有し、
前記プロジェクターは、
前記プロジェクターの設定情報を記憶する設定情報記憶部と、
前記携帯型端末装置が接続される接続部と、
前記接続部に接続された前記携帯型端末装置の識別情報を受信する識別情報受信部と、
前記設定情報記憶部に記憶されている前記設定情報のうち、前記識別情報受信部が受信した識別情報に対応する設定情報に基づいて、前記プロジェクターの設定を行う設定部と、
を有することを特徴とするプロジェクターシステム。
【請求項７】
プロジェクターの設定情報を記憶する設定情報記憶部と、携帯型端末装置が接続される接続部と、を有し、画像情報に基づいた画像を投写するプロジェクターの制御方法であって、
前記接続部に接続された前記携帯型端末装置の識別情報を受信する識別情報受信ステップと、
前記設定情報記憶部に記憶されている前記設定情報のうち、前記識別情報受信ステップによって受信された識別情報に対応する設定情報に基づいて、前記プロジェクターの設定を行う設定ステップと、
を備えることを特徴とするプロジェクターの制御方法。
【発明の詳細な説明】
【技術分野】
【０００１】
本発明は、プロジェクター、プロジェクターシステム、およびプロジェクターの制御方法に関する。
【背景技術】
【０００２】
従来、画質の調整情報等のプロジェクターの設定情報を記憶するプロジェクターであって、リモコンからリモコンの識別情報を受信し、受信した識別情報に対応する設定情報に基づいて、プロジェクターの設定を行うプロジェクターが開示されている（特許文献１）。このようなプロジェクターによれば、複数のリモコンを使い分けることによって、プロジェクターの画質の調整情報等を切り替えることができる。
【０００３】
また、近年、スマートフォン等の携帯型端末装置が接続されるプロジェクターが知られている。例えば、携帯型端末装置が接続される接続部と、許可対象または拒否対象の携帯型端末装置の識別データを記憶する記憶部とを備え、接続された携帯型端末装置の識別情報と、識別データとに基づき、プロジェクターの使用許否を判定するプロジェクターが開示されている（特許文献２）。このようなプロジェクターによれば、携帯型端末装置の識別情報によって、使用許否の認証を行うことができる。
【先行技術文献】
【特許文献】
【０００４】
【特許文献１】特開２０１１−２０３５１７号公報
【特許文献２】特開２０１２−１６３７９６号公報
【発明の概要】
【発明が解決しようとする課題】
【０００５】
携帯型端末装置が接続可能なプロジェクターでは、複数の携帯型端末装置を差し替えて画像の投写を行う態様が考えられる。例えば、複数のユーザーがそれぞれ所有している携帯型端末装置をプロジェクターに接続し、画像コンテンツを投写させて鑑賞する態様が想定される。このとき、ユーザーによっては、プロジェクターのメニューを操作して、画質設定等を好みの設定に変更する場合がある。このため、第１のユーザーがプロジェクターの画質設定を行っても、第２のユーザーがプロジェクター画質設定を変更してしまうと、第１のユーザーが再びプロジェクターを使用する際に、再度、画質設定を設定し直さなければならないため、不便であった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、画像情報に基づいた画像を投写するプロジェクターであって、前記プロジェクターの設定情報を記憶する設定情報記憶部と、携帯型端末装置が接続される接続部と、前記接続部に接続された前記携帯型端末装置の識別情報を受信する識別情報受信部と、前記設定情報記憶部に記憶されている前記設定情報のうち、前記識別情報受信部が受信した識別情報に対応する設定情報に基づいて、前記プロジェクターの設定を行う設定部と、を備えることを特徴とする。
【０００８】
このようなプロジェクターによれば、設定情報記憶部は、プロジェクターの設定情報を記憶する。接続部には、携帯型端末装置が接続される。識別情報受信部は、携帯型端末装置の識別情報を受信する。設定部は、設定情報記憶部に記憶されている設定情報のうち、受信した識別情報に対応する設定情報に基づいて、プロジェクターの設定を行う。これにより、接続部に接続された携帯型端末装置の識別情報に対応する設定情報が、プロジェクターに設定される。よって、携帯型端末装置毎に異なる設定情報に基づいて、プロジェクターを動作させることが可能になる。
【０００９】
［適用例２］上記適用例に係るプロジェクターにおいて、前記設定情報の入力を受け付ける設定情報受付部と、前記設定情報受付部によって受け付けられた前記設定情報を、前記識別情報に対応付けて前記設定情報記憶部に記憶させる設定情報登録部と、をさらに備えることを特徴とする。
【００１０】
このようなプロジェクターによれば、設定情報受付部は、設定情報の入力を受け付ける。設定情報登録部は、受け付けられた設定情報を、識別情報に対応付けて設定情報記憶部に記憶させる。これにより、プロジェクターは、設定情報の入力を受け付けて、携帯型端末装置の識別情報に対応付けて記憶することができる。そして、入力された設定情報に基づいて、プロジェクターを動作させることが可能になる。
【００１１】
［適用例３］上記適用例に係るプロジェクターにおいて、前記設定情報は、前記画像の画質を調整するための情報を含んでいることを特徴とする。
【００１２】
このようなプロジェクターによれば、設定情報は、画像の画質を調整するための情報を含むため、携帯型端末装置毎に異なる画質で、プロジェクターを動作させることができる。
【００１３】
［適用例４］上記適用例に係るプロジェクターにおいて、音声を出力する音声出力部をさらに備え、前記設定情報は、前記音声出力部から出力される前記音声の音量を調整するための情報を含んでいることを特徴とする。
【００１４】
このようなプロジェクターによれば、設定情報は、音声の音量を調整するための情報を含むため、携帯型端末装置毎に異なる音量で、プロジェクターを動作させることができる。
【００１５】
［適用例５］上記適用例に係るプロジェクターにおいて、音声を出力する音声出力部をさらに備え、前記設定情報は、前記音声出力部から出力される前記音声の音質を調整するための情報を含んでいることを特徴とする。
【００１６】
このようなプロジェクターによれば、設定情報は、音声の音質を調整するための情報を含むため、携帯型端末装置毎に異なる音質で、プロジェクターを動作させることができる。
【００１７】
［適用例６］本適用例に係るプロジェクターシステムは、携帯型端末装置と、プロジェクターと、を備えたプロジェクターシステムであって、前記携帯型端末装置は、当該携帯型端末装置の識別情報を記憶する識別情報記憶部と、前記識別情報を送信する識別情報送信部と、を有し、前記プロジェクターは、前記プロジェクターの設定情報を記憶する設定情報記憶部と、前記携帯型端末装置が接続される接続部と、前記接続部に接続された前記携帯型端末装置の識別情報を受信する識別情報受信部と、前記設定情報記憶部に記憶されている前記設定情報のうち、前記識別情報受信部が受信した識別情報に対応する設定情報に基づいて、前記プロジェクターの設定を行う設定部と、を有することを特徴とする。
【００１８】
このようなプロジェクターシステムによれば、接続部に接続された携帯型端末装置の識別情報に対応する設定情報が、プロジェクターに設定される。よって、携帯型端末装置毎に異なる設定情報に基づいて、プロジェクターを動作させることが可能になる。
【００１９】
［適用例７］本適用例に係るプロジェクターの制御方法は、プロジェクターの設定情報を記憶する設定情報記憶部と、携帯型端末装置が接続される接続部と、を有し、画像情報に基づいた画像を投写するプロジェクターの制御方法であって、前記接続部に接続された前記携帯型端末装置の識別情報を受信する識別情報受信ステップと、前記設定情報記憶部に記憶されている前記設定情報のうち、前記識別情報受信ステップによって受信された識別情報に対応する設定情報に基づいて、前記プロジェクターの設定を行う設定ステップと、を備えることを特徴とする。
【００２０】
このようなプロジェクターの制御方法によれば、接続部に接続された携帯型端末装置の識別情報に対応する設定情報が、プロジェクターに設定される。よって、携帯型端末装置毎に異なる設定情報に基づいて、プロジェクターを動作させることが可能になる。
【００２１】
また、上述したプロジェクター、プロジェクターシステムおよびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２２】
【図１】実施形態のプロジェクターの斜視図。
【図２】プロジェクターの概略構成を示すブロック図。
【図３】設定情報記憶部に記憶される設定情報を表すテーブル。
【図４】プロジェクターに携帯情報端末が接続された際、および、ソース切替によって、携帯情報端末が選択された際の処理のフローチャート。
【図５】プロジェクターが、メニュー操作を受け付けた際の処理のフローチャート。
【発明を実施するための形態】
【００２３】
（実施形態）
以下、実施形態として、光源から射出された光を画像情報に基づいて変調して画像光を形成し、この画像光を外部のスクリーン等に投写するプロジェクターと、携帯型端末装置（以降、「携帯情報端末」とも呼ぶ。）を接続し、携帯情報端末が有するコンテンツを投写するプロジェクター、およびプロジェクターシステムについて、図面を参照して説明する。
【００２４】
図１は、本実施形態のプロジェクターの斜視図である。
図１に示すように、プロジェクター１００は、装置本体を収容する筐体５を備えて構成されており、筐体５の上面５ｔには、ユーザーにより入力操作が行われる操作パネル２１が備えられている。
【００２５】
筐体５の背面５ｒには、スピーカー４３が左右にそれぞれ備えられている。筐体５の背面５ｒの略中央部の下部には、携帯情報端末２００が接続可能なコネクター部５０が備えられている。コネクター部５０が、接続部に相当する。そして、プロジェクター１００のコネクター部５０には、スマートフォン等の携帯情報端末２００が接続されている。
【００２６】
筐体５の前面５ｆには、投写レンズ１３が露出されており、この投写レンズ１３から、画像情報に基づく画像が前方の投写面（図１では図示せず）に投写される。このようなプロジェクター１００および携帯情報端末２００によって、プロジェクターシステム１が構成されている。
【００２７】
図２は、プロジェクター１００の概略構成を示すブロック図である。
図２に示すように、プロジェクター１００は、画像投写部１０、制御部２０、操作パネル２１、通信部２２、光源制御部２３、設定情報記憶部２４、画像情報入力部３０、画像処理部３１、ＯＳＤ処理部３２、音声情報入力部４０、音声処理部４１、音声出力部４２、スピーカー４３等を備えている。さらに、プロジェクター１００は、コネクター部５０を備えている。
【００２８】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２９】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００３１】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１００の動作を統括制御する。
【００３２】
操作パネル２１は、ユーザーのキー操作を受け付ける操作受付部であり、ユーザーがプロジェクター１００に対して各種指示を行うための複数の操作キーを備えている。本実施形態の操作パネル２１が備える操作キーとしては、電源のオン・オフを切り替えるための電源キー、入力された画像情報、音声情報を切り替えるための入力切替キー（「ソース切替キー」とも呼ぶ。）、各種設定用のメニュー画像を表示させるメニューキー、メニュー画像における項目の選択等に用いられる方向キー、選択した項目を確定させるための決定キー等がある。
【００３３】
ユーザーが操作パネル２１の各種操作キーを操作すると、操作パネル２１は、この操作を受け付けて、操作された操作キーに対応する制御信号を制御部２０に出力する。そして、制御部２０は、操作パネル２１から制御信号が入力されると、入力された制御信号に基づく処理を行って、プロジェクター１００の動作を制御する。なお、操作パネル２１の代わりに、あるいは操作パネル２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００３４】
通信部２２は、コネクター部５０を介し、携帯情報端末２００との間で、通信を行う。通信部２２は、制御部２０の指示に基づいて動作し、携帯情報端末２００と制御情報等の送受信を行う。例えば、通信部２２は、携帯情報端末２００に対して、識別情報であるシリアルナンバーの送信を要求し、携帯情報端末２００からシリアルナンバーを受信する。そして、通信部２２は、取得したシリアルナンバーを制御部２０に通知することができる。
【００３５】
光源制御部２３は、制御部２０の指示に基づいて光源装置１１（光源ランプ１１ａ）の点灯を制御する。具体的には、光源制御部２３は、光源ランプ１１ａに所定の電力を供給することにより光源ランプ１１ａを点灯させるとともに、電力の供給を停止して光源ランプ１１ａを消灯させることができる。また、光源制御部２３は、制御部２０の指示に基づいて光源ランプ１１ａに供給する電力を制御することにより、光源ランプ１１ａの輝度（明るさ）を調整することが可能である。
【００３６】
設定情報記憶部２４は、設定された画質、音質、音量等についての設定情報を、携帯情報端末２００毎に記憶する。
図３は、設定情報記憶部２４に記憶される設定情報を表すテーブルである。
【００３７】
図３に示すように、設定情報テーブルＴ１においては、各列は、携帯情報端末２００毎のシリアルナンバー（識別情報）を表している。本実施形態では、シリアルナンバーは４桁としているが、これに限定するものではない。そして、各行は、設定情報の種別を表している。本実施形態では、設定情報の種別として、「カラーモード」、「明るさ」、「色合い」、「シャープネス」、「色温度」、「音量」、「音質」が表示されているが、設定情報の種別はこれらに限定するものではない。プロジェクター１００のメニューで設定可能な設定情報であれば、設定情報テーブルＴ１に記憶してもよい。なお、「カラーモード」とは、画像の内容や、投写環境に応じて画像の表現力を高めるため、画像の基本階調特性である基準γ特性を調整する「ガンマ」調整、および、基準γ特性に特性のアクセント付けを行う機能である。
【００３８】
図２に戻り、画像情報入力部３０は、複数の入力端子を備えており、これらの入力端子には、ビデオ再生装置やパーソナルコンピューター等、図示しない外部の画像供給装置から各種形式の画像情報が入力される。さらに、画像情報入力部３０は、携帯情報端末２００から入力される画像情報も入力する。制御部２０からの指示に基づき、画像情報入力部３０は画像情報を選択し、選択した画像情報を画像処理部３１に出力する。
【００３９】
画像処理部３１は、画像情報入力部３０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等の画質を調整するための画質調整処理等を行い、処理後の画像情報をＯＳＤ処理部３２に出力する。
【００４０】
ＯＳＤ処理部３２は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３２は、必要なＯＳＤ画像情報をＯＳＤメモリーから読み出し、入力画像上の所定の位置にＯＳＤ画像が重畳されるように、画像処理部３１から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３２は、画像処理部３１から入力される画像情報を、そのまま液晶駆動部１４に出力する。
【００４１】
液晶駆動部１４が、ＯＳＤ処理部３２から入力される画像情報に従って液晶ライトバルブ１２Ｒ，１２Ｇ，１２Ｂを駆動すると、光源装置１１から射出された光は、液晶ライトバルブ１２Ｒ，１２Ｇ，１２Ｂによって画像情報に応じた画像光に変調され、この画像光が投写レンズ１３から投写される。
【００４２】
音声情報入力部４０は、ビデオ再生装置やパーソナルコンピューター等の図示しない外部の音声供給装置から、音声情報を入力可能な複数の音声入力端子（図示せず）を備えている。さらに、音声情報入力部４０は、携帯情報端末２００から出力される音声情報も入力する。制御部２０からの指示に基づき、音声情報入力部４０は音声情報を選択し、選択した音声情報を音声処理部４１に出力する。
【００４３】
音声処理部４１は、制御部２０の指示に基づいて、音声情報入力部４０から入力される音声情報に、その出力特性を調整するための処理を施す。音声処理部４１で調整処理がなされた音声情報は、音声出力部４２に出力される。
【００４４】
音声出力部４２は、図示しない増幅回路等を備えており、制御部２０の指示に基づいて、音声処理部４１から入力した音声情報に基づく音声をスピーカー４３から出力する。
【００４５】
コネクター部５０は、コネクターを有して構成され、図１に示したように、プロジェクター１００の背面５ｒの略中央の下部に実装される。コネクター部５０には、画像情報入力部３０、音声情報入力部４０や通信部２２等の各種機能部と電気的に接続される複数の端子が備えられている。
【００４６】
コネクター部５０は、携帯情報端末２００に備わるコネクター（図示せず）と嵌合可能になっている。携帯情報端末２００のコネクターを、コネクター部５０に嵌合させると、携帯情報端末２００は、当該コネクター部５０に装着されて固定される。図２では、携帯情報端末２００は、プロジェクター１００に装着されている。携帯情報端末２００を当該コネクター部５０に装着すると、携帯情報端末２００は、プロジェクター１００と通信を行うことが可能になる。そして、携帯情報端末２００は、内蔵するコンテンツに基づいて、プロジェクター１００に、画像情報や音声情報を送信することができる。また、プロジェクター１００からの要求に基づいて、携帯情報端末２００は、内蔵する識別情報記憶部（図示せず）に記憶されているシリアルナンバーを、識別情報送信部（図示せず）によって、プロジェクター１００の通信部２２に送信することもできる。
【００４７】
次に、プロジェクター１００の動作について説明する。
まず、プロジェクター１００に携帯情報端末２００が接続された際、および、ソース切替（入力切替）によって、携帯情報端末２００が選択された際に実行される処理について説明する。
【００４８】
図４は、プロジェクター１００に携帯情報端末２００が接続された際、および、ソース切替によって、携帯情報端末２００が選択された際の処理のフローチャートである。
【００４９】
プロジェクター１００の制御部２０は、コネクター部５０に接続されている機器が、携帯情報端末２００か否かを判断する（ステップＳ１０１）。具体的には、通信部２２がコネクター部５０を介して通信を行うことで、携帯情報端末２００か否かを判断する。
【００５０】
携帯情報端末２００である場合（ステップＳ１０１：ＹＥＳ）、制御部２０は、通信部２２を介して、携帯情報端末２００のシリアルナンバーを取得する（ステップＳ１０２）。具体的には、通信部２２から、シリアルナンバー取得要求を携帯情報端末２００に送信する。シリアルナンバー取得要求を受信した携帯情報端末２００は、自身のシリアルナンバーを、プロジェクター１００の通信部２２に送信する。通信部２２は、受信したシリアルナンバーを制御部２０に通知する。このときの通信部２２が、識別情報受信部に相当する。
【００５１】
制御部２０は、取得したシリアルナンバーが設定情報記憶部２４に記憶されているか否かを判断する（ステップＳ１０３）。具体的には、制御部２０は、設定情報テーブルＴ１にシリアルナンバーが記憶されているか否かを判断する。
【００５２】
シリアルナンバーが設定情報記憶部２４に記憶されていれば（ステップＳ１０３：ＹＥＳ）、制御部２０は、設定情報記憶部２４からシリアルナンバーに対応する設定情報を取得する（ステップＳ１０４）。そして、制御部２０は、設定情報を、画像処理部３１や光源制御部２３、音声処理部４１等に設定して、投写画像や出力音声に反映させる（ステップＳ１０５）。このときの制御部２０が、設定部に相当する。そして、プロジェクター１００に携帯情報端末２００が接続された際、および、ソース切替によって、携帯情報端末２００が選択された際の処理を終了する。
【００５３】
コネクター部５０に接続されている機器が携帯情報端末２００でない場合（ステップＳ１０１：ＮＯ）、制御部２０は、デフォルト（初期値）の設定情報を、画像処理部３１や光源制御部２３、音声処理部４１等に設定して投写画像や出力音声に反映させる（ステップＳ１０６）。コネクター部５０に何も接続されていない場合も、同様に、デフォルトの設定情報を設定する。そして、プロジェクター１００に携帯情報端末２００が接続された際、および、ソース切替によって、携帯情報端末２００が選択された際の処理を終了する。
【００５４】
取得したシリアルナンバーが設定情報記憶部２４に記憶されていない場合（ステップＳ１０３：ＮＯ）、ステップＳ１０６に移行し、制御部２０は、デフォルト（初期値）の設定情報を画像処理部３１や光源制御部２３、音声処理部４１等に設定して、投写画像や出力音声に反映させる。そして、プロジェクター１００に携帯情報端末２００が接続された際、および、ソース切替によって、携帯情報端末２００が選択された際の処理を終了する。
【００５５】
上述したように、携帯情報端末２００がプロジェクター１００に接続されたり、ソース切替によって選択されたりすると、プロジェクター１００は、設定情報記憶部２４からシリアルナンバーに対応する設定情報を取得して、設定情報を投写画像や出力音声に反映させることができる。
【００５６】
次に、プロジェクター１００において、操作パネル２１に備わるメニューキーによって、画質調整や音声調整等のメニュー設定（操作）が行われ、設定情報記憶部２４の携帯情報端末２００の対応する領域に、設定情報が記憶される際の処理について説明する。なお、画質調整や音声調整等のメニュー設定が行われる際の操作パネル２１が、設定情報受付部に相当する。
【００５７】
図５は、プロジェクター１００が、メニュー操作を受け付けた際の処理のフローチャートである。
【００５８】
制御部２０は、受け付けたメニュー操作が、携帯情報端末２００の画質調整や音声調整等のメニュー設定や変更か否かを判断する（ステップＳ２０１）。つまり、制御部２０は、メニュー操作を受け付けた際の入力ソースが、携帯情報端末２００であるか否かを判断する。携帯情報端末２００のメニュー設定や変更である場合には（ステップＳ２０１：ＹＥＳ）、制御部２０は、設定情報記憶部２４に当該携帯情報端末２００のシリアルナンバーが記憶されているか否かを判断する（ステップＳ２０２）。なお、シリアルナンバーは、携帯情報端末２００がコネクター部５０に接続された際に、制御部２０が取得して記憶している。
【００５９】
設定情報記憶部２４にシリアルナンバーが記憶されている場合（ステップＳ２０２：ＹＥＳ）、制御部２０は、設定情報記憶部２４（設定情報テーブルＴ１）のシリアルナンバーに対応する領域に、メニュー操作で設定された設定情報を記憶させる（ステップＳ２０３）。即ち、制御部２０は、設定情報記憶部２４の既存の設定情報に対して上書きする。このときの制御部２０が、設定情報登録部に相当する。そして、制御部２０は、設定情報を画像処理部３１や光源制御部２３、音声処理部４１等に設定して、投写画質や出力音声に反映させる（ステップＳ２０４）。そして、メニュー操作を受け付けた際の処理を終了する。
【００６０】
設定情報記憶部２４にシリアルナンバーが記憶されていない場合（ステップＳ２０２：ＮＯ）、制御部２０は、設定情報記憶部２４（設定情報テーブルＴ１）に、新たにシリアルナンバーに対応する領域を生成して、メニュー操作で設定された設定情報を記憶させる（ステップＳ２０５）。このときの制御部２０も、設定情報登録部に相当する。そして、ステップＳ２０４に移行して、設定情報を画像処理部３１や光源制御部２３、音声処理部４１等に設定して、投写画質や出力音声に反映させ、メニュー操作を受け付けた際の処理を終了する。
【００６１】
メニュー操作により設定変更する内容が、携帯情報端末２００のメニュー設定や変更でない場合には（ステップＳ２０１：ＮＯ）、制御部２０は、設定情報を画像処理部３１や光源制御部２３、音声処理部４１等に設定して、投写画質や出力音声に反映させる（ステップＳ２０６）。そして、メニュー操作を受け付けた際の処理を終了する。
【００６２】
上述したように、プロジェクター１００は、携帯情報端末２００のメニュー設定情報が変更されると、設定情報記憶部２４のシリアルナンバーに対応する領域に設定情報を記憶させ、設定情報を投写画質や出力音声に反映させることができる。
【００６３】
上述した実施形態によれば、以下の効果が得られる。
（１）プロジェクター１００は、シリアルナンバー（識別情報）を有する携帯情報端末２００を接続可能である。また、プロジェクター１００の設定情報記憶部２４には、プロジェクター１００の画像処理部３１や光源制御部２３、音声処理部４１等に設定するための設定情報が記憶される。携帯情報端末２００がプロジェクター１００に接続されると、制御部２０は、設定情報記憶部２４に記憶されている設定情報のうち、シリアルナンバーに対応する設定情報に基づいて、プロジェクター１００の設定を行う。これにより、携帯情報端末２００を接続すると、シリアルナンバーに対応する設定情報が、プロジェクター１００に設定される。よって、携帯情報端末２００毎に記憶された設定情報に基づいて、プロジェクター１００に画像投写や音声出力を行わせることが可能になり、ユーザーは、携帯情報端末２００を差し替えるたびに設定情報を設定し直す必要がなくなる。よって、利便性が向上する。
【００６４】
（２）プロジェクター１００は、メニュー操作によって、設定情報の設定や変更を受け付ける。制御部２０は、受け付けた設定情報を、接続されている携帯情報端末２００のシリアルナンバーに対応付けて、設定情報記憶部２４（設定情報テーブルＴ１）に記憶させる。これにより、携帯情報端末２００毎に設定された設定情報に基づいて、プロジェクター１００に画像投写や音声出力を行わせることが可能になり、利便性が向上する。
【００６５】
（３）プロジェクター１００において、設定情報記憶部２４に記憶される設定情報は、画像の画質を調整するための情報を含んでいる。これにより、携帯情報端末２００毎に異なる画質で、プロジェクター１００に画像投写をさせること可能になり、有益である。
【００６６】
（４）プロジェクター１００において、設定情報記憶部２４に記憶される設定情報は、音声の音量を調整するための情報を含む。これにより、携帯情報端末２００毎に異なる音量で、プロジェクター１００に音声出力をさせることが可能になり、有益である。
【００６７】
（５）プロジェクター１００において、設定情報記憶部２４に記憶される設定情報は、音声の音質を調整するための情報を含む。これにより、携帯情報端末２００毎に異なる音質で、プロジェクター１００に音声出力をさせることが可能になり、有益である。
【００６８】
なお、上述した実施形態に限定されず、種々の変更や改良等を加えて実施することが可能である。変形例を以下に述べる。
【００６９】
（変形例１）上記実施形態では、携帯情報端末２００は、スマートフォン等としたが、これに限定するものではない。プロジェクター１００と接続されて画像情報や音声情報等を通信可能な携帯情報端末（携帯型端末装置）であればよい。例えば、タブレットＰＣや、携帯型デジタルメディアプレーヤー、携帯型デジタルオーディオプレーヤー等としてもよい。
【００７０】
（変形例２）上記実施形態では、携帯情報端末２００とプロジェクター１００とは、コネクター部５０を介して接続されるものとしたが、無線通信等で接続されるものとしてもよい。
【００７１】
（変形例３）上記実施形態では、設定情報記憶部２４の設定情報テーブルＴ１では、６つのシリアルナンバーに対応して設定情報を記憶しているが、設定情報テーブルＴ１が記憶可能なシリアルナンバーおよび設定情報は６つに限定するものではない。
【００７２】
（変形例４）上記実施形態では、プロジェクター１００を例にして説明しているが、プロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【００７３】
（変形例５）上記実施形態では、光源装置１１は、放電型の光源ランプ１１ａを有して構成されているが、ＬＥＤ光源やレーザー等の固体光源や、その他の光源を用いることもできる。
【００７４】
（変形例６）上記実施形態では、プロジェクター１００は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００７５】
１…プロジェクターシステム、５…筐体、５ｆ…前面、５ｒ…背面、５ｔ…上面、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作パネル、２２…通信部、２３…光源制御部、２４…設定情報記憶部、３０…画像情報入力部、３１…画像処理部、３２…ＯＳＤ処理部、４０…音声情報入力部、４１…音声処理部、４２…音声出力部、４３…スピーカー、５０…コネクター部、１００…プロジェクター、２００…携帯情報端末。
【図１】
2014170032.tif 000003
【図２】
2014170032.tif 000004
【図３】
2014170032.tif 000005
【図４】
2014170032.tif 000006
【図５】
2014170032.tif 000007